(57)【要約】      （修正有）【課題】貼付する際にスリット間の帯状部分が互いに絡み合ったり、指に纏わり付いたり皺になったりすることなく、皮膚の内側に点在する痛点位置にある腱、靱帯、筋膜、皮膚の下側の神経に対して適度の刺激を与えることができるテーピング用テープを提供する。【解決手段】正方形又は長方形を有し、第１の方向に伸縮性を有する布地１１と、粘着材層１２と、剥離紙１３を備え、第１の方向に切り込まれた複数のスリット２を有し、第１の方向の寸法をＬ、第２の方向の寸法をＷとして、Ｗ：Ｌ＝１：１〜１：３．５、Ｗ＝１０ｍｍ〜５０ｍｍ、Ｌ＝２０〜１００ｍｍ、スリットの間隔をＤとして、Ｄ＝０．５〜３ｍｍである。【選択図】図１
2019013300.tif 000002
【特許請求の範囲】
【請求項１】
正方形又は長方形を有し、少なくとも第１の方向に伸縮性を有する布地と、前記布地の一方の面に塗布された粘着材層と、前記粘着材層の前記布地とは反対側の面に貼付された剥離紙を備え、
前記第１の方向と略平行に切り込まれ、前記第２の方向に平行に配列された複数のスリットを有し、
前記正方形又は前記長方形の前記第１の方向の寸法をＬ、前記第１の方向に直交する第２の方向の寸法をＷとして、
Ｗ：Ｌ＝１：１〜１：３．５の範囲であり、
Ｗ＝１０ｍｍ〜５０ｍｍの範囲であり、
前記第２の方向における隣接する２つのスリットの間隔をＤとして、
Ｄ＝０．５ｍｍ〜３ｍｍの範囲である
ことを特徴とするテーピング用テープ。
【請求項２】
前記第１の方向の寸法Ｌ＝２０ｍｍ〜１００ｍｍの範囲とすることを特徴とする請求項１に記載のテーピング用テープ。
【請求項３】
請求項１又は請求項２に記載のテーピング用テープを、前記第１の方向に任意の枚数だけ、前記第２の方向に切断することなく連続して配列してなるテーピング用テープ。
【請求項４】
前記第１の方向に長尺の剥離紙を有し、請求項１乃至請求項３のいずれかに記載の前記テーピング用テープが前記剥離紙上に前記第１の方向に連続して配列されていることを特徴とするテープロール。
【請求項５】
前記第１の方向に連続して配列された複数の前記テーピング用テープは、任意の枚数ずつ、前記第２の方向の寸法Ｗよりも短い切断線によって、互いに部分的に繋がっていることを特徴とする請求項４に記載のテープロール。
【請求項６】
第１の方向及び第２の方向にそれぞれ所定の寸法を有するシート状の剥離紙を有し、請求項１乃至請求項３のいずれかに記載の複数の前記テーピング用テープが前記剥離紙上に前記第１の方向及び前記第２の方向に連続して配列されていることを特徴とするテープシート。
【請求項７】
前記第１の方向に連続して配列された複数の前記テーピング用テープは、任意の枚数ずつ、前記第２の方向の寸法Ｗよりも短い切断線によって、互いに部分的に繋がっていることを特徴とする請求項６に記載のテープシート。
【発明の詳細な説明】
【技術分野】
【０００１】
本発明は、身体に貼り着けて患部を保護するテーピング用テープに関するものであり、特に、肘、膝、肩、腰などの屈伸動作を伴う関節部分での使用に適するテーピング用テープに関する。
【背景技術】
【０００２】
従来から、テープの長手方向に複数のスリットを形成し、筋肉の縦方向と横方向の伸縮をテープの伸縮とスリットの拡大によって効果的にサポートすることが可能な、スリットの入ったテーピング用テープが提案されている（特許文献１又は特許文献２参照）。
【０００３】
特許文献１では、テーピング用テープの長さ１７０ｍｍ〜２３０ｍｍ、幅４０ｍｍ〜７０ｍｍ、スリットの本数９本〜１１本、スリットの間隔４ｍｍ〜７ｍｍが例示されている。従来のスリットの入ったテーピング用テープでは、２つのスリット間の幅が広く、またスリットの長さが長いため、剥離紙を剥がす際に、スリット間の細長い帯状部分同士が絡みついて付着してしまったり、帯状部分が指に纏わり付いて皺になったりして、使用不能になったり、うまく患部の皮膚に付着しない虞がある。また、皺になったまま患部に貼付すると、使用者に不快感を与えると共に、スリット間の細長い帯状部分の皺になった部分が皮膚に付着しないので、テーピングの効果が薄れてしまうことになる。
【０００４】
さらに、スリット間の帯状部分の面積が大きいため、患部の皮膚に貼付されたときに、スリット部及びスリット間の帯状部分から、皮膚の内側にある腱、靱帯、筋膜、皮膚の下側の神経に対して大まかな刺激しか与えることができず、その刺激による血流の増加度が低く、血流の増加による筋力の増強効果が薄くなる虞がある。
【０００５】
膝などの痛みに関しては、膝の腱や靱帯に集中して痛みがあることもあるが、通常は、例えば膝の周辺に痛点として点在することが多い。ところが、従来のテーピング用テープの大きさでは、スリット間隔が比較的広いため、点在する複数の痛点に対応するように、皮膚の内側に存在する各痛点位置にある腱、靱帯、筋膜、皮膚の下側の神経を十分に刺激することができないという問題を有していた。
【先行技術文献】
【特許文献】
【０００６】
【特許文献１】実登３０８１１７９号
【特許文献２】特開２００２−３５１６９号公報
【発明の概要】
【発明が解決しようとする課題】
【０００７】
本発明は、上記従来例の問題を解決するためになされたものであり、貼付する際に隣接する２つのスリット間に形成された細長い帯状部分が互いに絡み合ったり、指に纏わり付いたり皺になったりすることを防止すると共に、皮膚の内側に点在する痛点位置にある腱、靱帯、筋膜、皮膚の下側の神経に対して適度の刺激を与えることができ、その刺激による血流の増加度や血流の増加による筋力の増強効果をもたらすことが可能なテーピング用テープを提供することを目的としている。
【課題を解決するための手段】
【０００８】
上記目的を達成するために本発明に係るテーピング用テープは、正方形又は長方形を有し、少なくとも第１の方向に伸縮性を有する布地と、前記布地の一方の面に塗布された粘着材層と、前記粘着材層の前記布地とは反対側の面に貼付された剥離紙を備え、前記第１の方向と略平行に切り込まれ、前記第２の方向に平行に配列された複数のスリットを有し、前記正方形又は前記長方形の前記第１の方向の寸法をＬ、前記第１の方向に直交する第２の方向の寸法をＷとして、Ｗ：Ｌ＝１：１〜１：３．５の範囲であり、Ｗ＝１０ｍｍ〜５０ｍｍの範囲であり、前記第２の方向における隣接する２つのスリットの間隔をＤとして、Ｄ＝０．５ｍｍ〜３ｍｍの範囲であることを特徴とする。
【０００９】
また、前記第１の方向の寸法Ｌ＝２０ｍｍ〜１００ｍｍの範囲とすることが好ましい。
【００１０】
また、本発明に係る他のテーピング用テープは、上記いずれかのテーピング用テープを、前記第１の方向に任意の枚数だけ、前記第２の方向に切断することなく連続して配列してなる。
【００１１】
また、本発明に係るテープロールは、前記第１の方向に長尺の剥離紙を有し、上記いずれかの複数の前記テーピング用テープが前記剥離紙上に前記第１の方向に連続して配列されていることを特徴とする。
【００１２】
また、前記第１の方向に連続して配列された複数の前記テーピング用テープは、任意の枚数ずつ、前記第２の方向の寸法Ｗよりも短い切断線によって、互いに部分的に繋がっているようにしてもよい。
【００１３】
また、本発明に係るテープシートは、第１の方向及び第２の方向にそれぞれ所定の寸法を有するシート状の剥離紙を有し、上記いずれかの複数の前記テーピング用テープが前記剥離紙上に前記第１の方向及び前記第２の方向に連続して配列されていることを特徴とする。
【００１４】
または、前記第１の方向に連続して配列された複数の前記テーピング用シートは、任意の枚数ずつ、前記第２の方向の寸法Ｗよりも短い切断線によって、互いに部分的に繋がっているようにしてもよい。
【発明の効果】
【００１５】
本発明に係るテーピング用テープの第１の方向及び第２の方向の寸法は、上記従来のテーピング用テープに比べて非常に小さくなっている。そのため、例えば、幅（第２の方向の寸法）４０ｍｍ、長さ（第１の方向の寸法）１７０ｍｍ程度の従来のテーピング用テープを用いて膝をテーピングする場合、特許文献１の図３に示すように、長手方向を縦にして、横方向に３枚〜５枚程度貼付する。それに対して、例えば、第２の方向の寸法Ｗ＝２５ｍｍ、第１の方向の寸法Ｌ＝５０ｍｍ程度の本発明に係るテーピング用テープを用いた場合、第１の方向を縦にして、膝の横方向に５枚〜１０枚、膝の縦方向に３列程度、貼り付けることになる。貼付する枚数は多くなるが、個々のテーピング用テープの表面積が小さくなり、また、スリットの長さ及び隣接する２つのスリットの間隔が、いずれも従来のものよりも小さくなっているので、スリット間の帯状部分が互いに絡み合ったり、指に纏わり付いたりしにくくなり、テープ貼りの際の煩わしさは従来のものよりもむしろ軽減される。
【００１６】
また、個々のテーピング用テープの寸法のみならず、スリット間の帯状部分の長さ及び幅が小さいので、スリット部及びスリット間の帯状部分から、皮膚の内側にある腱、靱帯、筋膜、皮膚の下側の神経に対して細かに刺激を与えることができ、その刺激による血流の増加度を高くしたり、血流の増加による筋力の増強効果を高めたりすることが可能となる。さらに、血流量の増加による痛みの軽減や筋力の増強に加えて、テーピング用テープの貼付後の適度な運動により、筋力がさらに増強され、さらなる痛みの軽減が可能になる。
【図面の簡単な説明】
【００１７】
【図１】本発明の一実施形態に係るテーピング用テープの構成を示す図であり、（ａ）は正面図、（ｂ）は側部断面図、（ｃ）は多数のテーピング用テープが芯に巻き付けられた状態（テープロール）を示す斜視図である。
【図２】（ａ）は本発明に係るテーピング用テープを製造するためのカッターの構造及び、このカッターにより長尺テープ上に複数のスリットが形成された状態を示す斜視図であり、（ｂ）はその変形例を示す。
【図３】（ａ）は従来のテーピング用テープを用いて膝をテーピングした場合を示素正面図であり、（ｂ）は本実施形態に係るテーピング用テープを用いて膝をテーピングした場合を示す正面図である。
【図４】例えば図１（ａ）に示すテーピング用テープを長手方向に任意の枚数（例えば２枚）ずつ切断されることなく連続して配列されたテーピング用テープを示す平面図。
【図５】多数のテーピング用テープが１枚のシート状剥離紙に縦方向及び横方向に配列された状態（テープシート）を示す平面図。
【図６】（ａ）〜（ｃ）はそれぞれ使用実験に用いた３種類のテーピング用テープの各部の寸法を示す平面図である。
【発明を実施するための形態】
【００１８】
本発明の一実施形態に係るテーピング用テープについて、図面を参照しつつ説明する。図１（ａ）は、本実施形態に係るテーピング用テープ１の形態を示す平面図であり、図１（ｂ）はその側部断面図である。また、図１（ｃ）は、本実施形態に係るテーピング用テープ１をユーザーに提供する際の仕様（テープロール）を示す斜視図であり、多数のテーピング用テープ１が細長い長尺の剥離紙上に連続して配列されるように貼り付けられた状態で、さらに円筒状の芯に巻き付けられた状態を示す。なお。図１（ｂ）は、理解を容易にするために、厚み方向を誇張して描いている。
【００１９】
テーピング用テープ１は、平面視で矩形（例えば長方形）を有しており、例えば、所定の幅（第２の方向の寸法）Ｗを有し、円筒状の芯１５に巻き付けられた長尺テープ１０を、所定の長さ（第１の方向の寸法）Ｌに切断したものである。長尺テープ１０は、緯糸（横糸）と経糸（縦糸）とを組み合わせて織った布地１１の下面に粘着材層１２を塗布すると共に、粘着剤層１２の下面に剥離紙１３を貼り付けたものである。長尺テープ１０自体は、従来から市販されておりテーピング用テープと同様のものである。布地１１は、長尺テープ１０の長手方向（第１の方向）の方が幅方向（第２の方向）よりも伸縮性が高くなるように織られている。
【００２０】
テーピング用テープ１は、上記のような長尺テープ１０に、特殊な構造を備えたカッターを押しつけることによって製造される。図２は、テーピング用テープ１を製造するためのカッター２０の刃の構造又は配置を示す斜視図である。カッター２０は、長尺テープ１０の長手方向に刃を有し、長尺テープ１０の幅方向に平行に配列された複数の縦刃２１と長尺テープ１０の幅方向に平行に配置された単一の横刃２２を備えている。縦刃２１の長さは、テーピング用テープ１の長手方向の寸法Ｌよりも少し短く、横刃２２の長さは、長尺テープ１０及びテーピング用テープ１の幅方向の寸法とほぼ同じで、それよりも若干長くなるように設定されている。そして、これらの縦刃２１及び横刃２２は、図示しない基台に固定されており、基台と共に、例えば水平に保持台に保持された長尺テープの表面に対して垂直方向に上下動される。カッター２０の縦刃２１及び横刃２２の切り込み深さは、布地１１及び粘着材層１２を切断するけれども、剥離紙１３を完全には切断しない深さに設定されている。
【００２１】
図２（ａ）は、一旦カッター２０を長尺テープ１０に押しつけて切り込みを行った後、長尺テープ１０から引き離した状態を示している。長尺テープ１０上には、カッター２０の縦刃２１によって長尺テープ１０の長手方向に所定の長さを有する複数のスリット２が長尺テープ１０の幅方向に略平行に形成されていると共に、カッター２０の横刃２２によって長尺テープ１０の幅方向に略平行な切断線３が形成されている。長尺テープ１０の長手方向に隣接する２つの切断線３の間が、テーピング用テープ１に相当する。
【００２２】
本実施形態に係るテーピング用テープ１は、特許文献１などに示された従来のテーピング用テープと比較して、いわゆる縦横比、幅方向及び長手方向の寸法、及びスリットの間隔が異なっている。前述のように、特許文献１では、テーピング用テープの長さＬ＝１７０ｍｍ〜２３０ｍｍ、幅Ｗ＝４０ｍｍ〜７０ｍｍ、スリットの本数９本〜１１本、スリットの間隔４ｍｍ〜７ｍｍが例示されている。それに対して、本実施形態に係るテーピング用テープ１は、複数のスリット２の配列方向を幅方向、幅方向に直交する複数のスリット２の切り込み方向を長手方向として、幅方向の寸法をＷ、長手方向の寸法をＬとして、Ｗ：Ｌ＝１：１〜１：３．５の範囲であり、Ｗ＝１０ｍｍ〜５０ｍｍの範囲であり、Ｌ＝２０ｍｍ〜１００ｍｍの範囲であり、２つのスリット２の間隔Ｄ＝０．５ｍｍ〜３ｍｍの範囲である。この場合、Ｗ＝１０ｍｍ〜２０ｍｍの範囲では、Ｗ：Ｌ＝１：１の条件（正方形）は除外される。また、複数のスリット２の長さは長手方向の寸法Ｌよりも短いことは言うまでもない。さらに、スリット２が形成されている領域は、テーピング用テープ１の各辺からそれぞれ内側に各辺の長さに対して、例えば５％〜１０％程度内側であって、その領域内ではスリットが略等間隔に均一に形成されている。
【００２３】
テーピング用テープ１は、従来のテーピング用テープに比べて幅方向の寸法Ｗ及び長手方向の寸法Ｌがいずれも小さく、それに伴ってスリット間の細長い帯状部分の長さも短くなるため、剥離紙を剥がす際に、スリット間の細長い帯状部分同士が絡みつきにくくなり、また、帯状部分が指に纏わり付きにくくなり、テーピング用テープ１が皺になったりして使用不能になる可能性が大幅に低減される。
【００２４】
テーピング用テープ１の幅方向の寸法Ｗが１０ｍｍよりも小さい場合、取り扱いが難しくなったり、面積が小さくなりすぎてテーピングの効果が得られにくくなる。また、Ｗが５０ｍｍよりも大きくなると、皮膚の内側にある腱、靱帯、筋膜、皮膚の下側の神経に対して大まかな刺激しか与えることができなくなる虞がある。一方、テーピング用テープ１の長手方向の寸法Ｌが２０ｍｍよりも小さい場合、スリット間の細長い帯状部分７の面積が小さくなりすぎ、テーピングの効果が得られにくくなる、また、Ｌが１００ｍｍよりも大きくなると、スリット間の細長い帯状部分７同士が絡みつきやすくなる。
【００２５】
２つのスリット間の幅Ｄが０．５ｍｍよりも小さい場合、幅が狭すぎて、テーピングの効果が発揮できなかったり、テーピング用テープ１を貼り付ける際に切れてしまう虞がある。また、２つのスリット間の幅Ｄが３ｍｍよりも大きい場合、従来のものと同様に、患部の皮膚に貼付されたときに、スリット部及びスリット間の帯状部分から、皮膚の内側にある腱、靱帯、筋膜、皮膚の下側の神経に対して大まかな刺激しか与えることができなくなる虞がある。
【００２６】
従って、テーピング用テープ１の形状及び各部の寸法を、上記のように設定することによって、スリット間の帯状部分が互いに絡み合ったり、指に纏わり付いたりしにくくなる。また、テーピング用テープ１の寸法のみならず、スリット間の帯状部分の長さ及び幅が小さいので、スリット部及びスリット間の帯状部分から、皮膚の内側にある腱、靱帯、筋膜、皮膚の下側の神経に対して細かに刺激を与えることができ、その刺激による血流の増加度を高くしたり、血流の増加による筋力の増強効果を高めたりすることが可能となる。さらに、血流量の増加による痛みの軽減や筋力の増強に加えて、テーピング用テープ１の貼付後の適度な運動により、筋力がさらに増強され、さらなる痛みの軽減が可能になる。
【００２７】
図３（ａ）は、従来のテーピング用テープ５０を用いて膝をテーピングした場合を示し、図３（ｂ）は本実施形態に係るテーピング用テープ１を用いて膝をテーピングした場合を示す。特許文献１に例示されている、幅４０ｍｍ、長さ１７０ｍｍ程度の従来のテーピング用テープ５０を用いて膝をテーピングする場合、図３（ａ）に示すように、長手方向を縦にして、横方向に３〜５枚程度貼付する。それに対して、例えば、幅２５ｍｍ、長さ５０ｍｍ程度の本発明に係るテーピング用テープ１を用いた場合、図３（ｂ）に示すように、長手方向を縦にして、横方向に６枚、縦方向に３列程度、貼り付けることになる。貼付する枚数は多くなるが、個々のテーピング用テープの表面積が小さくなり、また、スリットの長さ及び隣接する２つのスリットの間隔が、いずれも従来のものよりも小さくなっているので、スリット間の帯状部分が互いに絡み合ったり、指に纏わり付いたりしにくくなり、テープ貼りの際の煩わしさは従来のものよりもむしろ軽減される。
【００２８】
図３（ｂ）からわかるように、実際にテーピング用テープ１を膝などに貼り付けると、膝の形状に合わせて、横方向にスリット２の隙間が引き延ばされるが、縦方向には、テーピングする際にテーピング用テープ１がほぼ限界まで引き延ばされているため、個々のスリット２の長さはさほど変わらない。従って、例えば、カッター２０の縦刃２１の動きと横刃２２の動きを同期させずに、縦刃１を任意の回数（例えば２〜３回）動作させた後、横刃２２を１回動作させることにより、図４に示すような、長手方向（第１の方向）に任意の枚数（例えば２枚又は３枚）ずつ切断されることなく連続して配列された複数のテーピング用テープ１を、互いに繋がった状態で提供することができる。または、図２（ｂ）に示すように、カッター２０の横刃２２’の長さを、長尺テープ１０及びテーピング用テープ１の幅方向の寸法よりも若干短くなるように設定し、切断線３’の長さを長尺テープ１０又はテーピング用テープ１の幅Ｗよりも短くして、長尺テープ１０の長手方向に隣接するテーピング用テープ１が互いに部分的に繋がっているようにしてもよい。また、隣接するテーピング用テープ１が互いに部分的に繋がっている部分の長さは、ユーザーが手で引っ張ることによって引きちぎられるようにしてもよい。あるいは、長さの異なる２種類の横刃２２を用意し、２枚又は３枚など任意の枚数ずつ、隣接するテーピング用テープ１が互いに部分的に繋がっているようにしてもよい。
【００２９】
図５は、本実施形態に係るテーピング用テープ１をユーザーに提供する際の他の仕様（テープシート）を示す平面図であり、複数のテーピング用テープ１が縦方向（第１の方向）及び横方向（第２の方向）にそれぞれ所定の寸法を有するシート状の剥離紙１３’上に縦方向及び横方向に連続して配列されるように、貼り付けられた状態を示す。この場合、個々のテーピング用テープ１は、互いに完全に切り離されていてもよいし、上記のように、縦方向に配列された任意の数のテーピング用テープ１が互いに部分的に繋がっているようにしてもよい。なお、前記テーピング用テープ１は、図４に示すような、長手方向（第１の方向）に任意の枚数（例えば２枚又は３枚）ずつ切断されることなく連続して配列されたテーピング用テープであってもよい。
【００３０】
次に、本発明に係るテーピング用テープ１と、従来のテーピング用テープを用いて、４名の被験者による使用実験を行った。その結果を以下に示す。図６は、この使用実験に用いた３種類のテーピング用テープの各部の寸法を示す。図６において、（ａ）は本発明に係る２種類のテーピング用テープ１の各部の寸法を示し、（ｂ）は従来のテーピング用テープ５０の各部の寸法を示す。
【実験例１】
【００３１】
被験者Ａ氏（６５才、男性）
症状：血糖３８０ｍｇ〜４００ｍｇ
［処置１］
５０ｍｍ×２００ｍｍでスリット間４ｍｍの従来のテーピング用テープを両膝に３枚ずつ貼り付けたところ、食養生は行なわないで３ヶ月後、血糖は３５０ｍｇ〜３８０ｍｇであり、若干痛みが軽減されたが、痛みの大きな軽減はみられなかった。
＊なお、血糖が低下したということは、筋肉量が増えたことを示す。
［処置２］
２５ｍｍ×５０ｍｍでスリット間２．８ｍｍの本発明に係るテーピング用テープを両膝全体に貼り付け（８枚×３列）、食養生は行わないで７日ごとに新しいものに取り替え、２ヶ月後、血糖は２４０ｍｇ〜２７０ｍｇに低下し、痛みが大きく軽減された。
【実験例２】
【００３２】
被験者Ｂ氏（７６才、女性）
症状：１年前、漢方薬を数回服用したところ、胃腸と膵臓の炎症を起こした。食欲減退が強く、全粥、少量の副食しか食べられず、６ヶ月後、体重が５ｋｇ減少し、３６ｋｇとなった。
［処置１］
５０ｍｍ×２００ｍｍでスリット間４ｍｍの従来のテーピング用テープを両膝に３枚ずつ、さらにかかとにも貼り付けた。また、２５ｍｍ×３００ｍｍのスリットなしテープを腹部に６枚貼り付けた。２ヶ月後、体重が４ｋｇ増加し、主食も軟飯を中心に、副食も少し食べられるようになった。しかしながら、胃部に疼痛があった。また、痛みがあることから歩行は少しふらつきがあった。
［処置２］
２５ｍｍ×５０ｍｍでスリット間２．８ｍｍの本発明に係るテーピング用テープを両膝全体に貼り付けたところ（８枚×３列）、１ヶ月後、痛みがなくなると共にふらつきがかなり減少し、歩くスピードが明らかに速くなった。
【実験例３】
【００３３】
被験者Ｃ氏（５８才、男性）
症状：ときどき、１週間程度続く腰痛を起こす。疲れると、腰痛を起こす頻度が高くなる。ゆっくり休むと、痛みが楽になる。
［処置１］
５０ｍｍ×２００ｍｍでスリット間４ｍｍの従来のテーピング用テープを両膝に３枚ずつ貼り付けて様子を見たが、改善されなかった。
［処置２］
２５ｍｍ×５０ｍｍでスリット間２．８ｍｍの本発明に係るテーピング用テープを両膝全体に貼り付けたところ（８枚×３列）、３日ほどで腰痛が軽減され、膝の痛みも９０％程度とれた。
【実験例４】
【００３４】
被験者Ｄ氏（７５才、男性）
症状：６ヶ月前から、ときどき歩行時や階段の昇り降りの際に左右の膝が痛む。
［処置１］
５０ｍｍ×２００ｍｍでスリット間４ｍｍの従来のテーピング用テープを両膝に３枚ずつ貼り付けた。３ヶ月後、左膝は痛まなくなったが、右膝は、階段の昇り降りの際に外側に少し痛みがあった。
［処置２］
２５ｍｍ×５０ｍｍでスリット間２．８ｍｍでの本発明に係るテーピング用テープを両膝全体に貼り付けたところ（８枚×３列）、２週間後には痛みが軽減され、２ヶ月後にはほとんど痛みが無くなった。
【００３５】
このように、４名の被験者による実験結果から、本発明のテーピング用テープ１による効果は、従来のテーピング用テープによる効果よりも顕著であることがわかる。なお、本発明に係るテーピング用テープ１として、例えば図６（ｃ）に示すような４０ｍｍ×８０ｍｍや５０ｍｍ×８０ｍｍのような寸法のものであっても同様の効果が得られる。また、５０ｍｍ×１００ｍｍ程度であっても、従来のテーピング用テープよりもスリット間の帯状部分が互いに絡み合ったり、指に纏わり付いたりしにくくなる。また、これらの実験結果から、２つのスリット２の間隔Ｄ＝２．５ｍｍ前後、具体的には、Ｄ＝２ｍｍ〜３ｍｍがより好ましいよう思われる。
【００３６】
なお、本発明に係るテーピング用テープ１を工業的に量産する際におけるスリット２の加工方法は、図２に示すような、幅方向（第２の方向）に平行に配列された複数の縦刃２１を長尺テープ１０の表面に押しつけるものに限定されず、幅方向に平行な軸に一定間隔で取り付けられた複数の円形の刃を長尺テープ１０の表面で間欠的に回転させるものや、その他の構造を有する刃物を用いた加工方向であってもよい。また、市販の長尺テープを所定の長さの短冊状に切断し、切断した短冊状のテープを複数枚（例えば５枚程度）重ねて、定規とカッターナイフなどを用いてスリット２を加工するようにしてもよい。その場合、医師や看護師などが患者に使用させる目的で、市販の長尺テープを所定の長さの短冊状に切断し、切断した短冊状のテープにカッターナイフなどを用いてスリット２を加工する行為は、本発明に係るテーピング用テープ１の製造に該当し、業としての本発明の実施に含まれる。
【符号の説明】
【００３７】
１  テーピング用テープ
２  スリット
３、３’  切断線
７  スリット間の細長い帯状部分
１０  長尺テープ
１１  布地
１２  粘着材層
１３、１３’  剥離紙
２０  カッター
２１  縦刃
２２、２２’  横刃
５０  従来のテーピング用テープ
【図１】
2019013300.tif 000003
【図２】
2019013300.tif 000004
【図３】
2019013300.tif 000005
【図４】
2019013300.tif 000006
【図５】
2019013300.tif 000007
【図６】
2019013300.tif 000008